(57)【要約】【課題】  累進屈折力の装用テスト等に用いる検眼レンズは、レンズの厚み効果により本来の累進屈折力レンズの装用感を十分に体験することができない。このため、眼鏡レンズ購入後に装用できないといった問題が生ずることがあった。【解決手段】  可逆変形可能なポリエチレン又はポリカーボネート等の材料で、厚さ１ｍｍ以下のシート状のレンズとした。このレンズを眼鏡レンズに貼り付けることにより、厚み効果を気にせず屈折力調整を可能とした。【選択図】    図１
2005249842.tif 000002
【特許請求の範囲】
【請求項１】
２つの屈曲面を有し、透明な可逆変形可能なシートであって、前記シートの屈折力が−１．００ディオプトリ以上かつ＋１．００ディオプトリ以下であることを特徴とする度付きシールレンズ。
【請求項２】
請求項１記載の度付きシールレンズであって、光学中心部分の厚みが１ｍｍ以下で、なおかつ光学中心から半径１０ｍｍ以上３０ｍｍまでの領域の厚みが１ｍｍ以下であることを特徴とする度付きシールレンズ。
【請求項３】
請求項１又は２のいずれかに記載の度付きシールレンズであって、２つの屈折面のうち少なくとも一方の屈折面には繰り返して貼付けおよび剥離可能な粘着物質が塗布されていることを特徴とする度付きシールレンズ。
【請求項４】
請求項１乃至３に記載の度付きシールレンズにおいて、前記シールレンズがポリエチレンまたはポリカーボネートであることを特徴とする度付きシールレンズ。
【発明の詳細な説明】
【技術分野】
【０００１】
本発明の度付きシールレンズは、主として屈折補正用眼鏡レンズに貼り付けて屈折力の調整に用いる。
【背景技術】
【０００２】
図３は眼鏡レンズの屈折力を決める際に用いる検眼レンズの概念図である。基本的に眼鏡レンズの屈折力は球面屈折力と乱視屈折力及び乱視軸の方向の３つの因子によって決められる。このため、図の１１の位置に球面屈折力に相当する球面レンズを、１２の位置に乱視屈折力に相当するシリンダーレンズを配置する。乱視軸の方向はシリンダーレンズ１２を光軸ＯＡの回りに回転させて装用者の乱視軸方向に合わせる。さらに、累進屈折力レンズの装用テスト等をする場合には、図の１３の位置に所定の加入屈折力を有する遠用部屈折力がゼロ・ディオプトリの累進屈折力レンズを配置する。
【０００３】
眼鏡レンズを発注する際には、球面レンズ１１とシリンダーレンズ１２、さらに累進屈折力レンズ１３の個々の屈折力を合算した値を製造業者に伝えることになる。製造業者はこれら合算された屈折力に基づき１枚の眼鏡レンズを製造する。しかしながら、上記で説明した検眼レンズでは、肉厚の厚いレンズを３枚も重ねているため、実際の眼鏡レンズとは光学特性が異なる。特に累進屈折力レンズの装用テストでは、累進屈折力レンズを眼球からかなり離れた位置に配置することになるので、加入屈折力の効果や累進屈折力レンズに特有な像のゆがみ等が実際のレンズと大きく異なり、問題となることも多々有った。
【０００４】
これらの問題を解決するためには、検眼レンズの肉厚を薄くし、かつ各レンズ間の間隔を可能な限り少なくすればよい。このために、屈折効果を有するシールをレンズに貼り付けるというアイデアは簡単に思いつき、実際いくつかの先行技術が見られる。
【０００５】
例えば、特許文献１では、単焦点レンズの前面にプラス度数を有する紫外線硬化物を貼り付けることにより、近方視ようのレンズとして用いるという開示がされている。この紫外線硬化物は脱着可能で、これを取り外すことにより通常は遠方視用の単焦点レンズとして使用できる。
【０００６】
また、特許文献２及び特許文献３では、レンズ表面に着色した透明シートを貼り付けることにより、サングラスの機能を持たせることが開示されている。この透明シートは着脱可能であり、サングラス効果が不要な場合にはこれを取り外して通常の眼鏡として使用できる。
【０００７】
【特許文献１】特開平１０−６２７２８号公報
【特許文献２】特開平１０−１１００３５号公報
【特許文献３】特開２００３−１２１８０２号公報
【発明の開示】
【発明が解決しようとする課題】
【０００８】
特許文献１の貼付レンズは、紫外線によって硬化されたレンズのため、１度成形された後には自由に変形させることはできない。従って、貼り付けられる単焦点レンズの形状に合わせて予め設計しなければならず、汎用的に使えるとは言い難い。また、１枚のレンズで加入度数１．００、２．００、３．００ディオプトリー等を得ようとしているため、加入度に応じたレンズを用意しておかねばならず、コストアップになる。
【０００９】
特許文献２及び特許文献３では、薄く変形自在なシートを脱着するため、比較的自由に種々のレンズに使用することができる。しかしながら、これらは度数を持たないシートであるため、屈折力を変えることはできない。
【課題を解決するための手段】
【００１０】
上記課題を解決するために本発明の度付きシールレンズは、２つの屈曲面を有し、透明な可逆変形可能なシートであって、前記シートの屈折力が−１．００ディオプトリ以上かつ＋１．００ディオプトリ以下であることを特徴とする。
【００１１】
また、本発明の度付きシールレンズは光学中心部分の厚みが１ｍｍ以下で、なおかつ光学中心から半径１０ｍｍ以上３０ｍｍまでの領域の厚みが１ｍｍ以下であることを特徴とする。
【００１２】
さらに、２つの屈折面のうち少なくとも一方の屈折面には繰り返して貼付けおよび剥離可能な粘着物質が塗布されていることを特徴とする。
【００１３】
なお、本発明の度付きシールレンズは、ポリエチレンまたはポリカーボネートのような透明で柔らかい材料が望ましい。
【発明の効果】
【００１４】
本発明の度付きシールレンズは眼鏡レンズや検眼用レンズなどに自由に貼付・剥離することにより、屈折力を±１．００ディオプトリ以下のステップで増減することができる。また、度付きシールレンズ自体の厚みは１ｍｍ以下であるため、レンズの厚みや装用位置に起因する屈折力変化が生じにくく、複数枚重ね貼りして使用することも可能である。さらに、眼鏡レンズ等に貼り付けても重量の増加をほとんど意識させること無く使用できる。これらの効果により、従来では眼鏡レンズや検眼レンズの度数変更は高価なレンズに入れ替えるしか方法がなかったが、本発明の度付きシールレンズを用いることにより、比較的少ない度数変化の場合には低コストで度数変更することが可能となる。また、検眼レンズのように複数枚のレンズを重ねて屈折力測定するより、より実際の眼鏡レンズに近い状態での屈折力測定を行えることで正確なレンズの処方が可能となる。
【発明を実施するための最良の形態】
【００１５】
本発明を以下では図に沿って説明する。
【実施例１】
【００１６】
図１は本発明の度付きシールレンズの概念図である。レンズ材料は低密度のポリエチレンで、屈折率はｎ＝１．５で屈折面１１は曲率半径１０００．０００ｍｍの球面、屈折面１２も曲率半径１０００．２６７ｍｍの球面である。また、レンズの中心厚ｔは０．８ｍｍで、コバ厚ｅは約０．２ｍｍ、レンズの直径ｄは５０ｍｍである。このレンズ材料の比重は約０．９２で、レンズの重さは約０．７ｇとなった。このレンズ１は屈折力が＋１．００となった。屈折面１２には眼鏡レンズ等に貼り付けるための粘着剤２を約０．１ｍｍ程度の厚さで均一に塗布した。この度付きシールレンズは図２に示すように、眼鏡レンズ３等に貼り付けて使用する。図１では本発明の度付きシールレンズは両凸レンズとなっているが、レンズ材料変形可能な材料であるので、図２のように眼鏡レンズ３の屈折面形状に合わせてぴったりと貼り付けることができる。さらに、図３のように眼鏡レンズの形状に合わせて切断することができるため、貼り付けたことがわかりにくく外観的にも良い。
【実施例２】
【００１７】
表１は度付きシールレンズの他の実施例を上記実施例１とともに一覧にまとめたものである。レンズ材料は上記と同じ、屈折率ｎ＝１．５、比重１．３６である。屈折力を＋１．００（Ｄ）から−１．００（Ｄ）まで変えてある。このように＋１．００（Ｄ）から−１．００（Ｄ）までの屈折力のレンズをセットとして揃えておくと、例えば＋１．７５（Ｄ）のレンズがほしい場合には、実施例１のレンズと、実施例２のレンズと、実施例３のレンズを図４のように重ねて貼り付けることで目的を達成できる。検眼レンズのようにレンズ自体が厚く、各レンズ間の距離を空けて使用しなければならない場合には、これらの厚みの効果により＋１．００（Ｄ）、＋０．５０（Ｄ）、＋０．２５（Ｄ）のレンズを重ねても＋１．７５（Ｄ）にはならないが、本発明の度付きシールレンズはレンズ厚み効果がほとんど無視できるので、単純に必要な屈折力のレンズを重ねて用いるだけで目的を達成できる。また、レンズの重さも数グラムと非常に軽く、複数枚貼り付けても掛け心地を悪化させることは無い。
【００１８】
【表１】
2005249842.tif 000003
【実施例３】
【００１９】
表２は屈折率１．６、比重１．２のポリカーボネート材料で作成した実施例３の一覧である。屈折率が高いため、実施例２の場合より薄いレンズをつくることができた。
【００２０】
【表２】
2005249842.tif 000004
【産業上の利用可能性】
【００２１】
本発明の度付きシールレンズは、レンズの厚みによる度数変化の影響が無視できるので、検眼レンズのように複数枚のレンズの組み合わせが必要な場面で利用できる。特に累進屈折力レンズの装用テスト等の場合には、装用テストを行おうとする累進屈折力レンズに本発明の度付きシールレンズを貼り付けることにより、実際に購入する度付き累進屈折力レンズに近い状態で装用テストを行える。
【００２２】
また、眼鏡を装用しているうちに度が進んだ場合、従来のレンズでは０．５（Ｄ）程度の変化であっても数万円もするレンズを作り直さなければならないが、本発明の度付きシールレンズを貼り付ければ、わずかな度数変化にはレンズの買い換えをしなくとも対応ができる。
【００２３】
さらには、本発明の度付きシールレンズは容易に貼り付け／取り外しが可能なので、短時間だけ近用視したい場合などに、現在掛けている眼鏡レンズに＋１．００（Ｄ）程度を貼り付けることにより、眼球の調節力を軽減して疲れにくくするといった使い方も可能である。
【００２４】
なお、透明で柔らかい材料の代表例としてポリエチレン及びポリカーボネートでの実施例を説明したが、その他のプラスチック系材料でも本発明が適用可能である。
【図面の簡単な説明】
【００２５】
【図１】本発明の度付きシールレンズの概念図。
【図２】度付きシールレンズの使用概念図。
【図３】眼鏡枠形状の度付きシールレンズの使用概念図。
【図４】複数枚の度付きシールレンズの使用概念図。
【符号の説明】
【００２６】
１・・・度付きシールレンズのレンズ部分
２・・・度付きシールレンズの粘着部
３・・・眼鏡レンズ
１１・・・度付きシールレンズの第１屈折面
１２・・・度付きシールレンズの第２屈折面
ｔ・・・度付きシールレンズの中心厚
ｅ・・・度付きシールレンズのコバ厚
【図１】
2005249842.tif 000005
【図２】
2005249842.tif 000006
【図３】
2005249842.tif 000007
【図４】
2005249842.tif 000008